(57)【要約】【課題】アバタ画像等を用い通信において、通信装置ユーザが自分の感情を通信相手に不快感を与えずに直感的に表現できること。【解決手段】  通信装置１００において、受信部１０１は、通信相手の映像を受信し、入力部１０２は、通信装置１００のユーザが受信映像により示された通信相手に対する感情を入力するためのものであり、例えば加速度の方向および大きさを検出する加速度センサにより構成され、設定部１０３は、入力部１０２に入力された、通信装置１００のユーザの通信相手に対する感情に対応させて感情データを設定し、変換部１０４は、感情データに従って通信相手の映像を変換し、出力部１０５は、受信部１０１により受信された映像および変換部１０４により変換された映像を出力する。【選択図】図１
2011147070.tif 000002
【特許請求の範囲】
【請求項１】
通信相手の映像または音声を受信する受信手段と、
前記通信相手に対する感情を入力するための入力手段と、
前記感情に対応する感情データを設定する設定手段と、
前記感情データに従い、前記映像または前記音声を変換する変換手段と、
を具備する通信装置。
【請求項２】
複数の通信相手の映像または音声を受信する受信手段と、
前記複数の通信相手のうち感情を表したい通信相手を指定するための指定手段と、
指定された通信相手に対する感情を入力するための入力手段と、
前記感情に対応する感情データを設定する設定手段と、
指定された通信相手を示す通信相手情報および指定された通信相手に対する前記感情データを通信サーバに送信する送信手段と、
を具備する通信装置。
【請求項３】
複数の通信相手の映像または音声を受信する受信手段と、
前記複数の通信相手のいずれかに対する感情を入力するための入力手段と、
前記感情に対応する感情データを設定する設定手段と、
前記複数の通信相手のいずれかに対する前記感情データを通信サーバに送信する送信手段と、
を具備する通信装置。
【請求項４】
前記入力手段が、加速度センサーである、
請求項１から３のいずれかに記載の通信装置。
【請求項５】
請求項２記載の通信装置から前記通信相手情報および前記感情データを受信する受信手段と、
前記感情データに従い、前記複数の通信相手のうち前記通信相手情報に示された通信相手の映像または音声を変換する変換手段と、
変換された映像または音声を前記複数の通信相手のうち前記通信相手情報に示された通信相手以外の通信相手へ送信する送信手段と、
を具備する通信サーバ。
【請求項６】
請求項３記載の通信装置から前記感情データを受信する受信手段と、
前記感情データの対象となる通信相手を特定する特定手段と、
前記感情データに従い、前記複数の通信相手のうち特定された通信相手の映像または音声を変換する変換手段と、
変換された映像または音声を前記複数の通信相手のうち特定された通信相手以外の通信相手へ送信する送信手段と、
を具備する通信サーバ。
【請求項７】
前記特定手段は、受信された映像または音声を解析して前記感情データの対象となる通信相手を特定する、
請求項６記載の通信サーバ。
【発明の詳細な説明】
【技術分野】
【０００１】
本発明は、通信装置および通信サーバに関する。
【背景技術】
【０００２】
通信装置ユーザが仮想空間においてアバタ画像を用いてチャットなどを行う場合、通信装置ユーザは予め用意された複数種類の感情設定ボタンのいずれかを選択することによりアバタの表情等を変化させて、自分の感情を通信相手に伝える従来技術がある。この従来技術によって、通信装置ユーザは、自分の感情に合わせてアバタ画像を変化させることにより、通信相手に自分の感情を表現することができる（例えば、特許文献１参照）。
【先行技術文献】
【特許文献】
【０００３】
【特許文献１】特開２０００−１９００３４号公報
【発明の概要】
【発明が解決しようとする課題】
【０００４】
しかしながら、上記従来技術では、通信装置ユーザの感情が通信相手にそのまま伝わってしまうため、通信相手に不快感を与えてしまうおそれがあった。
【０００５】
本発明の目的は、アバタ画像等を用い通信において、通信装置ユーザが自分の感情を通信相手に不快感を与えずに直感的に表現できるようにすることである。
【課題を解決するための手段】
【０００６】
本発明の第１の態様に係る通信装置は、通信相手の映像または音声を受信する受信手段と、前記通信相手に対する感情を入力するための入力手段と、前記感情に対応する感情データを設定する設定手段と、前記感情データに従い、前記映像または前記音声を変換する変換手段と、を具備する。
【０００７】
本発明の第２の態様に係る通信装置は、複数の通信相手の映像または音声を受信する受信手段と、前記複数の通信相手のうち感情を表したい通信相手を指定するための指定手段と、指定された通信相手に対する感情を入力するための入力手段と、前記感情に対応する感情データを設定する設定手段と、指定された通信相手を示す通信相手情報および指定された通信相手に対する前記感情データを通信サーバに送信する送信手段と、を具備する。
【０００８】
本発明の第３の態様に係る通信装置は、複数の通信相手の映像または音声を受信する受信手段と、前記複数の通信相手のいずれかに対する感情を入力するための入力手段と、前記感情に対応する感情データを設定する設定手段と、前記複数の通信相手のいずれかに対する前記感情データを通信サーバに送信する送信手段と、を具備する。
【０００９】
本発明の第４の態様に係る通信サーバは、通信装置から前記通信相手情報および前記感情データを受信する受信手段と、前記感情データに従い、前記複数の通信相手のうち前記通信相手情報に示された通信相手の映像または音声を変換する変換手段と、変換された映像または音声を前記複数の通信相手のうち前記通信相手情報に示された通信相手以外の通信相手へ送信する送信手段と、を具備する。
【００１０】
本発明の第５の態様に係る通信サーバは、通信装置から前記感情データを受信する受信手段と、前記感情データの対象となる通信相手を特定する特定手段と、前記感情データに従い、前記複数の通信相手のうち特定された通信相手の映像または音声を変換する変換手段と、変換された映像または音声を前記複数の通信相手のうち特定された通信相手以外の通信相手へ送信する送信手段と、を具備する。
【発明の効果】
【００１１】
本発明によれば、アバタ画像等を用い通信において、通信装置ユーザが自分の感情を通信相手に不快感を与えずに直感的に表現できる。
【図面の簡単な説明】
【００１２】
【図１】本発明の実施の形態１に係る通信装置の構成図
【図２】本発明の実施の形態１に係る入力部の動作概念図
【図３】本発明の実施の形態１に係るテーブルを示す図（例１）
【図４】本発明の実施の形態１に係る通信装置の動作イメージを示す図
【図５】本発明の実施の形態１に係るテーブルを示す図（例２）
【図６】本発明の実施の形態２に係る通信システムの構成図
【図７】本発明の実施の形態２に係る通信装置の構成図
【図８】本発明の実施の形態２における通信サーバの構成図
【図９】本発明の実施の形態３に係る通信装置の構成図
【図１０】本発明の実施の形態３に係る通信サーバの構成図
【発明を実施するための形態】
【００１３】
以下、本発明を実施するため形態について、図面を参照しながら説明する。
【００１４】
（実施の形態１）
図１は、本実施の形態に係る通信装置１００の構成図である。
【００１５】
通信装置１００において、受信部１０１は、通信相手の映像を受信する。例えば、通信装置１００がネットワークを介したテレビ電話通信を行う場合、受信部１０１は、通信相手の通信装置から送信される通信相手のアバタ画像を受信する。受信部１０１は、受信した通信相手の映像を出力部１０５および変換部１０４に出力する。
【００１６】
入力部１０２は、通信装置１００のユーザが受信映像により示された通信相手に対する感情を入力するためのものであり、例えば加速度の方向および大きさを検出する加速度センサにより構成される。入力部１０２は、図２に示すように、通信装置１００にかかるＸ軸，Ｙ軸，Ｚ軸の３方向の加速度を検出することができる。
【００１７】
設定部１０３は、入力部１０２に入力された、通信装置１００のユーザの通信相手に対する感情に対応させて、感情データを設定する。設定部１０３は、図３に示すような、通信装置１００のユーザの感情を示す加速度の方向および大きさと、感情データとが対応付けて設定されているテーブルを参照して感情データを設定する。設定部１０３は、設定した感情データを変換部１０４に出力する。
【００１８】
変換部１０４は、感情データに従って、通信相手の映像を変換する。変換部１０４は、図３に示すテーブルを参照し、感情データに従って映像を変換する。変換部１０４は、変換した映像を出力部１０５に送る。
【００１９】
出力部１０５は、受信部１０１により受信された映像および変換部１０４により変換された映像を出力する。本実施の形態では、例えば、出力部１０５は、映像を表示するディスプレーにより構成される。
【００２０】
次に、通信装置１００の動作について図４を用いて説明する。
【００２１】
図４に示すように、通信装置１００は、通信相手から送信された映像２０１を通信網を介して受信する。
【００２２】
このとき、例えば、通信装置１００のユーザが通信相手に対して「怒り」の感情を表す場合、通信装置１００のユーザは、通信装置１００をＹ軸方向に小さな力で叩くこととする。また、通信装置１００のユーザが通信相手に対して「悲しみ」の感情を表す場合、通信装置１００のユーザは、通信装置１００をＺ軸方向に小さな力で叩く。また、通信装置１００のユーザが通信相手に対して「同意」の感情を表す場合、通信装置１００のユーザは、通信装置１００をＺ軸方向に大きな力で叩く。また、通信装置１００のユーザが通信相手に対して「反対」の感情を表す場合、通信装置１００のユーザは、通信装置１００をＸ軸方向に大きな力で叩く。このときの加速度の方向および大きさを入力部１０２が検出し、検出結果を設定部１０３に出力する。
【００２３】
設定部１０３は、入力部１０２によって検出された加速度の方向および大きさに応じて図３に示すテーブルを参照して感情データを設定する。そして、変換部１０４は、感情データに従って図３に示すテーブルを参照して通信相手の映像を変換する。
【００２４】
例えば、加速度の方向が「Ｙ軸」で、その大きさが「小」であった場合、設定部１０３は感情データ：「怒り」を設定する。そして、変換部１０４は、その感情データに従って、映像２０１において鼻の周囲の画像を拡大するとともに、鼻息の画像および怒りを示すマークを合成することにより、映像２０１を怒りの表情の映像２０６に変換する。
【００２５】
また、加速度の方向が「Ｚ軸」で、その大きさが「小」であった場合、設定部１０３は感情データ：「悲しみ」を設定する。そして、変換部１０４は、その感情データに従って、映像２０１において目の下に涙の画像を合成することにより、映像２０１を泣いている表情の映像２０４に変換する。
【００２６】
また、加速度の方向が「Ｚ軸」で、その大きさが「大」であった場合、設定部１０３は感情データ：「同意」を設定する。そして、変換部１０４は、その感情データに従って、映像２０１において口の位置に笑っている口の画像を合成することにより、映像２０１を笑っている表情の映像２０５に変換する。
【００２７】
また、加速度の方向が「Ｘ軸」で、その大きさが「大」であった場合、設定部１０３は感情データ：「反対」を設定する。そして、変換部１０４は、その感情データに従って、映像２０１において目の周囲の一定範囲の画像を拡大するとともに、口の周囲の一定範囲の画像を縮小し、さらに、あらかじめ用意した汗の画像を合成することにより、映像２０１を驚いたような表情の映像２０３に変換する。
【００２８】
なお、上記説明では通信装置１００のユーザが通信装置１００を叩くときに入力部１０２によって検出される加速度の方向および大きさに応じて設定部１０３が感情データを設定した。しかし、入力部１０２が、加速度の大きさに代えて叩くパターンを検出し、設定部１０３が、図５に示すテーブルを参照して、加速度の方向および叩くパターンに応じて感情データを設定してもよい。
【００２９】
すなわち、例えば、加速度の方向が「Ｙ軸」で、所定時間の叩いた回数が「１回」であった場合、設定部１０３は感情データ：「怒り」を設定する。また、加速度の方向が「Ｚ軸」で、所定時間の叩いた回数が「１回」であった場合、設定部１０３は感情データ：「悲しみ」を設定する。また、加速度の方向が「Ｚ軸」で、所定時間の叩いた回数が「複数回連続」であった場合、設定部１０３は感情データ：「同意」を設定する。また、加速度の方向が「Ｘ軸」で、所定時間の叩いた回数が「複数回連続」であった場合、設定部１０３は感情データ：「反対」を設定する。
【００３０】
このように、本実施の形態によれば、アバタ画像等を用い通信において、通信装置ユーザの感情に応じて変換された通信相手の映像がその通信相手に送信されないため、通信装置ユーザが自分の感情を通信相手に不快感を与えずに直感的に表現することができる。
【００３１】
（実施の形態２）
図６は、本実施の形態に係る通信システムの構成図である。図６に示すように、本実施の形態に係る通信システムは、通信サーバ４００と、例えば通信装置３００Ａ〜３００Ｃの複数の通信装置とから構成され、通信装置３００Ａ〜３００Ｃが互いに通信サーバ４００を介して通信を行う。すなわち、通信装置３００Ａ〜３００Ｃが、各々のユーザの映像（例えば、各々のユーザのアバタ画像）を通信サーバ４００に送信し、通信サーバ４００が、受信した映像を通信装置３００Ａ〜３００Ｃに配信する。
【００３２】
図７は、本実施の形態に係る通信装置３００の構成図である。図６に示す通信装置３００Ａ〜３００Ｃはすべて図７に示す構成を採る。
【００３３】
通信装置３００において、受信部３０１は、通信サーバ４００から複数の通信相手の映像を受信する。例えば、図６に示す通信装置３００Ａがネットワークを介したテレビ電話通信を通信装置３００Ｂ，３００Ｃと行う場合、通信装置３００Ａの受信部３０１は、通信相手の通信装置３００Ｂ，３００Ｃから通信サーバ４００を介して送信される２人の通信相手のアバタ画像を受信する。また、受信部３０１は、複数の通信相手の映像のうち通信サーバ４００によって変換された映像を受信する。受信部３０１は、受信した映像を出力部３０２に出力する。
【００３４】
出力部３０２は、受信部３０１により受信された映像を出力する。本実施の形態では、例えば、出力部３０２は、映像を表示するディスプレーにより構成される。
【００３５】
入力部３０３は、通信装置３００のユーザが受信映像により示された複数の通信相手のうちいずれかの通信相手に対する感情を入力するためのものであり、実施の形態１の入力部１０２と同様、例えば加速度の方向および大きさを検出する加速度センサにより構成され、図２に示すように、通信装置３００にかかるＸ軸，Ｙ軸，Ｚ軸の３方向の加速度を検出することができる。
【００３６】
設定部３０４は、入力部３０３に入力された、通信装置３００のユーザの通信相手に対する感情に対応させて、感情データを設定する。設定部３０４は、実施の形態１の設定部３０４と同様、図３に示すような、通信装置３００のユーザの感情を示す加速度の方向および大きさと、感情データとが対応付けて設定されているテーブルを参照して感情データを設定する。設定部３０４は、設定した感情データを送信部３０６に出力する。
【００３７】
なお、本実施の形態においても、実施の形態１同様、入力部３０３が、加速度の大きさに代えて叩くパターンを検出し、設定部３０４が、図５に示すテーブルを参照して、加速度の方向および叩くパターンに応じて感情データを設定してもよい。
【００３８】
通信相手指定部３０５は、通信装置３００のユーザが受信映像により示された複数の通信相手のうち感情を表したい通信相手を指定するためのものであり、例えば十字キーやテンキー等により構成される。通信装置３００のユーザは、例えば十字キーやテンキー等を操作することにより感情を表したい通信相手を指定する。通信相手指定部３０５は、指定された通信相手を示す通信相手情報を送信部３０６に出力する。
【００３９】
送信部３０６は、通信相手指定部３０５から入力される通信相手情報、および、設定部３０４から入力される感情データ（すなわち、通信相手指定部３０５により指定された通信相手に対する感情データ）を通信サーバ４００に送信する。また、送信部３０６は、通信装置３００のユーザの映像を通信サーバ４００に送信する。
【００４０】
図８は、本実施の形態に係る通信サーバ４００の構成図である。以下、通信サーバ４００が図６に示す通信装置３００Ａ〜３００Ｃと通信する場合を例に挙げて説明する。
【００４１】
通信サーバ４００において、受信部４０１は、通信装置３００Ａ〜３００Ｃの各々のユーザの映像（例えば、各々のユーザのアバタ画像）を通信装置３００Ａ〜３００Ｃの各々から受信する。そして、受信部４０１は、受信した映像を変換部４０２および送信部４０３に出力する。また、受信部４０１は、通信装置３００Ａ〜３００Ｃの各々から送信された通信相手情報および感情データを受信し、それらを変換部４０２に出力するとともに、通信相手情報を送信部４０３に出力する。
【００４２】
変換部４０２は、感情データに従って、通信相手情報に示された通信相手の映像を変換する。変換部４０２は、実施の形態１の変換部１０４と同様、図３または図５に示すテーブルを参照し、感情データに従って映像を変換する。変換部４０２は、変換した映像を送信部４０３に送る。
【００４３】
送信部４０３は、通信装置３００Ａ〜３００Ｃの各々のユーザの映像を通信装置３００Ａ〜３００Ｃの各々へ送信する。また、送信部４０３は、変換部４０２により変換された映像を、通信装置３００Ａ〜３００Ｃのうち通信相手情報に示された通信相手以外の通信装置へ送信する。
【００４４】
ここで、図６に示す通信システムにおいて、例えば通信装置３００Ａのユーザが通信装置３００Ｃのユーザに対して「怒り」の感情を表す場合、通信装置３００Ａの送信部３０６は、通信装置３００Ｃを示す通信相手情報と感情データ：「怒り」とを通信サーバ４００へ送信する。
【００４５】
通信サーバ４００の変換部４０２は、感情データ：「怒り」に従って、通信相手情報に示された通信装置３００Ｃのユーザの映像において鼻の周囲の画像を拡大するとともに、鼻息の画像および怒りを示すマークを合成することにより、通信装置３００Ｃのユーザの映像を驚いたような表情の映像に変換する。
【００４６】
そして、通信サーバ４００の送信部４０３は、通信装置３００Ｃのユーザの変換後の映像を、通信装置３００Ｃには送信せずに、通信装置３００Ａおよび３００Ｂのみに送信する。よって、通信装置３００Ｃのユーザの映像において、通信装置３００Ａおよび３００Ｂの出力部３０２には変換後の映像が新たに表示される一方で、通信装置３００Ｃの出力部３０２には変換前の映像が引き続き表示される。
【００４７】
このように、本実施の形態によれば、アバタ画像等を用い通信において、通信装置ユーザの感情に応じて変換された通信相手の映像がその通信相手に送信されないため、通信装置ユーザが自分の感情を通信相手に不快感を与えずに直感的に表現することができる。
【００４８】
（実施の形態３）
図９は本実施の形態に係る通信装置５００の構成図であり、図１０は本実施の形態に係る通信サーバ６００の構成図である。なお、本実施の形態に係る通信システムは、実施の形態２（図６）と同様、通信サーバ６００と、例えば通信装置５００Ａ〜５００Ｃの複数の通信装置とから構成され、通信装置５００Ａ〜５００Ｃが互いに通信サーバ６００を介して通信を行う。また、通信装置５００Ａ〜５００Ｃはすべて図９に示す構成を採る。
【００４９】
通信装置５００において、受信部５０１は、通信サーバ６００から複数の通信相手の映像を受信する。例えば、通信装置５００Ａがネットワークを介したテレビ電話通信を通信装置５００Ｂ，５００Ｃと行う場合、通信装置５００Ａの受信部５０１は、通信相手の通信装置５００Ｂ，５００Ｃから通信サーバ６００を介して送信される２人の通信相手のアバタ画像を受信する。また、受信部５０１は、受信した通信相手の映像を出力部５０２に出力する。
【００５０】
出力部５０２は、受信部５０１により受信された映像を出力する。本実施の形態では、例えば、出力部５０２は、映像を表示するディスプレーにより構成される。
【００５１】
入力部５０３は、通信装置５００のユーザが受信映像により示された複数の通信相手のうちいずれかの通信相手に対する感情を入力するためのものであり、実施の形態１の入力部１０２と同様、例えば加速度の方向および大きさを検出する加速度センサにより構成され、図２に示すように、通信装置５００にかかるＸ軸，Ｙ軸，Ｚ軸の３方向の加速度を検出することができる。
【００５２】
設定部５０４は、入力部５０３に入力された、通信装置５００のユーザの通信相手に対する感情に対応させて、感情データを設定する。設定部５０４は、実施の形態１の設定部１０３と同様、図３に示すような、通信装置５００のユーザの感情を示す加速度の方向および大きさと、感情データとが対応付けて設定されているテーブルを参照して感情データを設定する。設定部５０４は、設定した感情データを送信部５０５に出力する。
【００５３】
なお、本実施の形態においても、実施の形態１同様、入力部５０３が、加速度の大きさに代えて叩くパターンを検出し、設定部５０４が、図５に示すテーブルを参照して、加速度の方向および叩くパターンに応じて感情データを設定してもよい。
【００５４】
送信部５０５は、設定部５０４から入力される感情データを通信サーバ６００に送信する。また、送信部５０５は、通信装置５００のユーザの映像を通信サーバ６００に送信する。
【００５５】
以下、通信サーバ６００が通信装置５００Ａ〜５００Ｃと通信する場合を例に挙げて説明する。
【００５６】
通信サーバ６００において、受信部６０１は、通信装置５００Ａ〜５００Ｃの各々のユーザの映像（例えば、各々のユーザのアバタ画像）を通信装置５００Ａ〜５００Ｃの各々から受信する。そして、受信部６０１は、受信した映像を変換部６０２および送信部６０３に出力する。また、受信部６０１は、通信装置５００Ａ〜５００Ｃの各々から送信された感情データを受信して変換部６０２に出力する。
【００５７】
特定部６０４は、受信された映像または通信装置５００Ａ〜５００Ｃへの入力音声を解析して感情データの対象となる通信相手を特定する。例えば、特定部６０４は、通信装置５００Ａ〜５００Ｃへ入力される各ユーザの声の大きさ（音量）を検出し、通信中の現在の音量が所定の閾値以上のユーザを現在の発言者、すなわち、感情データの対象となる通信相手として特定する。特定部６０４は、特定した通信相手を示す通信相手情報を変換部６０２および送信部６０３に出力する。
【００５８】
変換部６０２は、感情データに従って、通信相手情報に示された通信相手の映像を変換する。変換部６０２は、実施の形態１の変換部１０４と同様、図３または図５に示すテーブルを参照し、感情データに従って映像を変換する。変換部６０２は、変換した映像を送信部６０３に送る。
【００５９】
送信部６０３は、通信装置５００Ａ〜５００Ｃの各々のユーザの映像を通信装置５００Ａ〜５００Ｃの各々へ送信する。また、送信部６０３は、変換部６０２により変換された映像を、通信装置５００Ａ〜５００Ｃのうち通信相手情報に示された通信相手以外の通信装置へ送信する。
【００６０】
ここで、例えば通信装置５００Ａのユーザが通信装置５００Ｃのユーザに対して「怒り」の感情を表す場合、通信装置５００Ｃのユーザの発言中に通信装置５００Ａの送信部５０５は、感情データ：「怒り」を通信サーバ６００へ送信する。
【００６１】
通信サーバ６００の特定部６０４は、通信中の現在の音量が所定の閾値以上となる通信装置５００Ｃのユーザを現在の発言者、すなわち、感情データの対象となる通信相手として特定し、通信装置５００Ｃを示す通信相手情報を変換部６０２および送信部６０３に出力する。
【００６２】
通信サーバ６００の変換部６０２は、感情データ：「怒り」に従って、通信相手情報に示された通信装置５００Ｃのユーザの映像において鼻の周囲の画像を拡大するとともに、鼻息の画像および怒りを示すマークを合成することにより、通信装置５００Ｃのユーザの映像を驚いたような表情の映像に変換する。
【００６３】
そして、通信サーバ６００の送信部６０３は、通信装置５００Ｃのユーザの変換後の映像を、通信装置５００Ｃには送信せずに、通信装置５００Ａおよび５００Ｂのみに送信する。よって、通信装置５００Ｃのユーザの映像において、通信装置５００Ａおよび５００Ｂの出力部５０２には変換後の映像が新たに表示される一方で、通信装置５００Ｃの出力部５０２には変換前の映像が引き続き表示される。
【００６４】
このように、本実施の形態によれば、通信サーバが受信映像または各通信装置への入力音声を解析して感情データの対象となる通信相手を特定するため、各通信装置のユーザは、感情を表したい通信相手を指定する手間が省ける。
【００６５】
以上、本発明の実施の形態について説明した。
【００６６】
なお、実施の形態１〜３においては感情データに従って通信装置のユーザの映像を変換していたが、本発明では、感情データに従って通信装置のユーザの音声を変換しても良い。例えば、変換部１０４，４０２，６０２は、「怒り」の感情データが入力された場合は音声の波形を歪ませて音声を震わせ、「悲しみ」の感情データが入力された場合は音声の高さを２オクターブ上げ、「同意」の感情データが入力された場合は音声にエコーをかけて音声を響かせ、「反対」の感情データが入力された場合は音声の速度を下げてゆっくりした低い音声にする等する。
【産業上の利用可能性】
【００６７】
本発明は、チャットなどが行われる通信システムに有用である。
【符号の説明】
【００６８】
１００，３００，５００  通信装置
１０１，３０１，４０１，５０１，６０１  受信部
１０２，３０３，５０３  入力部
１０３，３０４，５０４  設定部
１０４，４０２，６０２  変換部
１０５，３０２，５０２  出力部
３０５  通信相手指定部
３０６，４０３，５０５，６０３  送信部
４００，６００  通信サーバ
６０４  特定部
【図１】
2011147070.tif 000003
【図２】
2011147070.tif 000004
【図３】
2011147070.tif 000005
【図４】
2011147070.tif 000006
【図５】
2011147070.tif 000007
【図６】
2011147070.tif 000008
【図７】
2011147070.tif 000009
【図８】
2011147070.tif 000010
【図９】
2011147070.tif 000011
【図１０】
2011147070.tif 000012